(57)【要約】【課題】コンクリート基礎と墓基礎とを接合せずに、コンクリート基礎と独立した箱状に一体構造とすることにより耐震性を向上させた墓基礎構造を提供するものである。【解決手段】コンクリート基礎１の上に、納骨堂５を囲むように複数枚の石板１０ａ〜１０ｄを四角枠状に敷設し、隣接する各石板１０ａ〜１０ｄの対向する部分にそれぞれホゾ穴１２、１２を形成すると共に、この対向するホゾ穴１２、１２にホゾ石板１３を嵌合させ、各石板１０ａ〜１０ｄを一体に連結して四角枠状の基礎石板１０を形成し、この各辺に沿った前記石板１０ｂ〜１０ｄに嵌合溝１４を形成し、胴石２ｂ〜２ｄ２の底部に突設した突起部１６を、前記嵌合溝１４に嵌合させて、胴石２ａ〜２ｄ２を箱状に組立てたことを特徴とするものである。【選択図】　　図１
2004143782.tif 000002
【特許請求の範囲】
【請求項１】
コンクリート基礎の上に、納骨堂を囲むように複数枚の石板を四角枠状に敷設し、隣接する各石板の対向する部分にそれぞれホゾ穴を形成すると共に、この対向するホゾ穴にホゾ石板を嵌合させ、各石板を一体に連結して四角枠状の基礎石板を形成し、この各辺に沿った前記石板に嵌合溝を形成し、胴石の底部に突設した突起部を、前記嵌合溝に嵌合させて、胴石を箱状に組立てたことを特徴とする墓基礎構造。
【請求項２】
請求項１記載の墓基礎構造に、更に箱状に組立てた胴石の内側に、四角枠状をなす基礎石板の中空部分を囲むように骨堂壁を立設して、この骨堂壁の間に納骨堂を形成したことを特徴とする墓基礎構造。
【請求項３】
請求項２記載の墓基礎構造に、更に箱状に組立てた胴石と、納骨堂との間の上部に貼板を載せて、ここに空洞部を形成したことを特徴とする墓基礎構造。
【発明の詳細な説明】
【０００１】
【発明の属する技術分野】
本発明は墓基礎構造に関するものである。
【０００２】
【従来の技術】
従来の墓基礎構造は、図８に示すように、コンクリート基礎１の上に胴石２を箱状に組立て、この内側の土３が露出した部分を囲むように４枚の骨堂壁４を箱状に配置して納骨堂５を形成すると共に、この納骨堂５と胴石２との間に砂利や砂９を入れて外柵１５を形成し、更に納骨堂５の上部前側に拝石７と、この後ろに墓石８を載せた構造をなしている。
【０００３】
従来の構造では、コンクリート基礎１の上に、モルタルで胴石２を接合しているが、納骨堂５と胴石２との間に詰めた砂利や砂９に含まれた雨水が凍結すると、膨張して胴石２が押し広げられるため、モルタルに亀裂が入って胴石２がコンクリート基礎１と分離してしまう問題がある。このように胴石２がコンクリート基礎１に固定されていないと、外柵１５の石組にズレが生じ、クレームの原因となり、寒冷地では自然倒壊の恐れがある。また耐震性が低下して、地震や地滑りの発生により、外柵１５や墓石８が倒壊する危険性がある。また外柵１５を組むに当たり、ステンレスボルトなどの金具により固定する工法もあるが、施工者によって品質にバラツキがある上、揺れの大きな地震が発生すると、接合部が割れてしまう問題があった。
【０００４】
【発明が解決しようとする課題】
本発明は上記問題を改善し、コンクリート基礎と墓基礎とを接合せずに、コンクリート基礎と独立した箱状に一体構造とすることにより耐震性を向上させた墓基礎構造を提供するものである。
【０００５】
【課題を解決するための手段】
本発明の請求項１記載の墓基礎構造は、コンクリート基礎の上に、納骨堂を囲むように複数枚の石板を四角枠状に敷設し、隣接する各石板の対向する部分にそれぞれホゾ穴を形成すると共に、この対向するホゾ穴にホゾ石板を嵌合させ、各石板を一体に連結して四角枠状の基礎石板を形成し、この各辺に沿った前記石板に嵌合溝を形成し、胴石の底部に突設した突起部を、前記嵌合溝に嵌合させて、胴石を箱状に組立てたことを特徴とするものである。
【０００６】
本発明の請求項２記載の墓基礎構造は、請求項１記載の墓基礎構造に、更に箱状に組立てた胴石の内側に、四角枠状をなす基礎石板の中空部分を囲むように骨堂壁を立設して、この骨堂壁の間に納骨堂を形成したことを特徴とするものである。
【０００７】
更に請求項３記載の墓基礎構造は、請求項２記載の墓基礎構造に、更に箱状に組立てた胴石と、納骨堂との間の上部に貼板を載せて、ここに空洞部を形成したことを特徴とするものである。
【０００８】
【発明の実施の形態】
以下本発明の実施の一形態を図１ないし図５を参照して詳細に説明する。図１において１０はコンクリート基礎１の上に形成した基礎石板を示すもので、これは前部石板１０ａと、後部石板１０ｂ、左側石板１０ｃ、右側石板１０ｄで構成されている。これら４枚の石板１０ａ〜１０ｄは、前部石板１０ａと、後部石板１０ｂとの間に、間隔をおいて左右石板１０ｃ、１０ｄを配置して中空部１１を形成した四角枠状に敷設されている。
【０００９】
各石板１０ａ〜１０ｄの隣接して対向する辺には、それぞれホゾ穴１２、１２が対向して形成されている。更にこの対向するホゾ穴１２、１２に、ホゾ石板１３を嵌合させて、各石板１０ａ〜１０ｄが一体に連結されている。また四角枠状の基礎石板１０の各辺に沿った、後部石板１０ｂと左右石板１０ｃ、１０ｄの側縁に沿って、嵌合溝１４が形成されている。また基礎石板１０の上に組立てられる外柵１５は前面胴石２ａ、背面胴石２ｂ、左胴石２ｃ１、２ｃ２、および右胴石２ｄ１、２ｄ２で構成されている。また背面胴石２ｂに沿って、背面側支持板２ｅが設けられ、更にこの手前両側に支持板２ｆ、支持板２ｇが設けられている。
【００１０】
また前記嵌合溝１４に対応して、背面胴石２ｂ、左胴石２ｃ１、２ｃ２、右胴石２ｄ１、２ｄ２の底面にはそれぞれ突起部１６が突設されている。また前面胴石２ａと背面側支持板２ｅの側面には、中空部１１の横幅の間隔をおいて、骨堂壁４ａ、４ｂの両端が嵌合する縦方向の嵌合溝１８、１８が形成されている。
【００１１】
底面に突起部１６を突設した上記背面胴石２ｂ、左胴石２ｃ１、２ｃ２、右胴石２ｄ１、２ｄ２を、それぞれ対応する後部石板１０ｂと左右石板１０ｃ、１０ｄの側縁に沿って形成した嵌合溝１４に嵌合して一体に接合する。更に左胴石２ｃ１、２ｃ２と右胴石２ｄ１、２ｄ２との間に、これと直交して前面胴石２ａと背面側支持板２ｅとを挟持する。更にこれらの対向する側面に形成された縦方向の嵌合溝１８、１８に、骨堂壁４ａ、４ｂの両端を嵌合させて箱状に組立てる。また支持板２ｆ、２ｇは、背面側支持板２ｅの前面両側に配置する。この結果、図２に示すように中空部１１の左右両側を囲む骨堂壁４ａ、４ｂと前面胴石２ａおよび背面側支持板２ｅとの間に納骨堂５が形成される。
【００１２】
この後、図３に示すように、前面胴石２ａの上部と、左胴石２ｃ１、右胴石２ｄ１および骨堂壁４ａ、４ｂの前側上部に、凹部１９を形成した前部貼板６ａを載せる。また背面胴石２ｂと背面側支持板２ｅ、左胴石２ｃ２、右胴石２ｄ２の上に後部貼板６ｂを載せて、この内側に箱状の空洞部２１を形成する。更に骨堂壁４ａ、４ｂと左右胴石２ｃ１、２ｄ１の上部にそれぞれ左右貼板６ｃ、６ｄを載せて接着剤で接合し、この内側にそれぞれ空洞部２１、２１を形成する。
【００１３】
この後、図４に示すように前部石板１０ａの左右両側に親柱２２、２２を載せて前面胴石２ａの前面側を支持し、更に親柱２２、２２の間に階段石２３を設置する。また左右貼板６ｃ、６ｄの側縁に沿って袖石２４、２４を載せ、後部貼板６ｂの後縁に沿って屏風石２５と塔婆立て２６を載せて外柵１５を完成する。この後、図５に示すように納骨堂５の前方上部を塞ぐように骨蓋となる拝石７を載せ、更にこの後方に墓石８を載せて完成する。
【００１４】
従って上記構造の墓基礎構造は、コンクリート基礎１の上に直接胴石２を載せる従来構造とは異なり、コンクリート基礎１の上に、４枚の石板１０ａ〜１０ｄを一体に連結した基礎石板１０を敷設し、この上に胴石２ａ〜２ｄ２を載せて、この突起部１６を嵌合溝１４に嵌合させて一体に接合し、更にこの上を貼板６ａ〜６ｄを載せて外柵１５を箱状に独立して形成したので、耐震性が向上し、コンクリート基礎１が劣化しても、外柵１５の強度が高く、地震や地滑りの発生による墓石８の倒壊を防止することができる。
【００１５】
また、この外柵１５は嵌合構造により箱形に形成され、強度が高いので、従来の胴石２に比べて、胴石２ａ〜２ｄ２を板厚の薄い石材で構成できるので、基礎石板１０を付加しても、全体の石材の使用量を少なくして、材料費を安くすることができると共に、施工作業が容易となる。また納骨堂５の左右および後方には空洞部２１が形成されているので、雨水などの浸入がなく、乾燥した状態に保持することができる。
【００１６】
図６は本発明の他の実施の形態を示すもので、四角枠状の基礎石板１０を構成する前部を、前部石板１０ａ１、１０ａ２の２分割とし、後部を、後部石板１０ｂ１、１０ｂ２の２分割とし、これら対向するホゾ穴１２、１２をホゾ石板１３で連結したものである。
【００１７】
図７は本発明の異なる他の実施の形態を示すもので、四角枠状の基礎石板１０を構成する左側部を、左石板１０ｃ１、１０ｃ２の２分割とし、右側部を、右石板１０ｄ１、１０ｄ２の２分割とし、これら対向するホゾ穴１２、１２をホゾ石板１３で連結したものである。これは、１枚の石板が小さくなるので、材料費が安く施工も容易である。
【００１８】
なお上記説明では、左胴石２ｃ１、２ｃ２および右胴石２ｄ１、２ｄ２をそれぞれ分割した構造について示したが一体構造でも良い。また胴石や骨堂壁の上部に貼板を載せて支持した構造について示したが、胴石や骨堂壁で囲まれた空洞部に束石を設置して、この上に支持する構造でも良い。
【００１９】
【発明の効果】
以上説明した如く本発明に係る請求項１記載の墓基礎構造によれば、コンクリート基礎の上に、複数枚の石板を一体に連結した基礎石板を形成し、この上に胴石を載せて嵌合させて、外柵を箱状に独立して形成したので耐震性が向上し、コンクリート基礎が劣化しても、外柵の強度が高く、地震や地滑りの発生による墓石の倒壊を防止することができる。
【００２０】
また請求項２記載の墓基礎構造によれば、更に箱状に組立てた胴石の内側に、四角枠状をなす基礎石板の中空部分を囲むように骨堂壁を立設して、この骨堂壁の間に納骨堂を形成し、納骨堂が外柵と一体構造に形成されているので、全体の強度を更に向上させることができる。
【００２１】
また請求項３記載の墓基礎構造によれば、更に箱状に組立てた胴石と、納骨堂との間の上部に貼板を載せて、ここに空洞部を形成し、納骨堂の周囲が空洞部で囲まれているので、雨水などの浸入を防止して納骨堂の内部を乾燥した状態に保持することができる。
【図面の簡単な説明】
【図１】本発明の実施の一形態による一体に連結した基礎石板と、分解した胴石を示す斜視図である。
【図２】図１の状態から基礎石板の上に胴石を組立てて形成した外柵を示す斜視図である。
【図３】図２の状態から胴石と骨堂壁との上に貼板を載せた状態を示す斜視図である。
【図４】図３の状態から、親柱や袖石、屏風石、塔婆立てを載せて完成させた外柵の斜視図である。
【図５】図４の外柵の上に墓石を載せた墓構造の断面図である。
【図６】本発明の他の実施の形態による基礎石板の平面図である。
【図７】本発明の異なる他の実施の形態による基礎石板の平面図である。
【図８】従来の墓基礎構造を示す断面図である。
【符号の説明】
１　　　　コンクリート基礎
２ａ〜２ｄ２　胴石
４ａ、４ｂ　骨堂壁
５　　　　納骨堂
６ａ〜６ｄ貼板
７　　　　拝石
８　　　　墓石
９　　　　砂利や砂
１０　基礎石板
１０ａ〜１０ｄ石板
１１　　中空部
１２　　ホゾ穴
１３　　ホゾ石板
１４　　嵌合溝
１５　　外柵
１６　　突起部
１８　　嵌合溝
１９　　凹部
２１　　空洞部
２２　　親柱
２４　　袖石
２５　　屏風石
２６　　塔婆立て
【図１】
2004143782.tif 000003
【図２】
2004143782.tif 000004
【図３】
2004143782.tif 000005
【図４】
2004143782.tif 000006
【図５】
2004143782.tif 000007
【図６】
2004143782.tif 000008
【図７】
2004143782.tif 000009
【図８】
2004143782.tif 000010
【手続補正書】
【提出日】平成14年10月30日(2002.10.30)
【手続補正１】
【補正対象書類名】図面
【補正対象項目名】図３
【補正方法】変更
【補正の内容】
【図３】
2004143782.tif 000011